(57)【要約】【課題】  時間を要することなく効率的に所望の情報を得ることが可能な移動体通信システム及び情報交換方法を提供する。【解決手段】  取得を希望する情報の内容を示す情報取得条件を登録する移動機、提供する情報の内容を示す情報提供条件を登録する移動機を具備し、これら移動機は予め１つのグループとして登録しておく。この移動機から情報取得条件が登録された際に当該情報取得条件と予め同一グループ内の移動機から登録された情報提供条件とが一致するか否かのマッチング処理を行い、マッチング処理により情報取得条件と情報提供条件が一致した場合には、情報取得条件を登録した移動機と当該情報取得条件とマッチングする情報提供条件を登録した移動機とのセッションを確立する。【選択図】        図１
2006262300.tif 000002
【特許請求の範囲】
【請求項１】
情報提供条件を登録する第１の登録手段と、情報取得条件を登録する第２の登録手段と、前記情報取得条件と予め登録された情報提供条件とが一致するか否かのマッチング処理を行う手段と、前記マッチング処理により前記情報取得条件と情報提供条件が一致した場合には、前記情報提供条件を登録した第１の登録手段と当該情報提供条件とマッチングする情報取得条件を登録した第２の登録手段とのセッションを確立する手段とを備えたことを特徴とする移動体通信システム。
【請求項２】
前記マッチング処理手段により前記情報取得条件と情報提供条件が一致した場合には、該当する第１及び第２の登録手段にセッション確立の許諾を確認し、セッション確立を許諾した場合には、両者のセッションを確立することを特徴とする請求項１に記載の移動体通信システム。
【請求項３】
前記第１及び第２の登録手段は予め１つのグループとして登録され、前記マッチング処理手段はグループ内で情報取得条件と情報提供条件のマッチング処理を行うことを特徴とする請求項１又は２に記載の移動体通信システム。
【請求項４】
前記第１及び第２の登録手段は移動機であることを特徴とする請求項１乃至３のいずれか１項に記載の移動体通信システム。
【請求項５】
前記第１の登録手段は移動機又はコンテンツサーバであることを特徴とする請求項１乃至３のいずれか１項に記載の移動体通信システム。
【請求項６】
予め登録されたグループに属する移動機であって提供を希望する情報の内容を示す情報提供条件を登録する移動機と、前記グループに属する移動機であって取得を希望する情報の内容を示す情報取得条件を登録する移動機と、当該移動機から情報取得条件が登録された際に当該情報取得条件と予め同一グループ内の移動機から登録された情報提供条件とが一致するか否かのマッチング処理を行う手段と、前記マッチング処理により前記情報取得条件と情報提供条件が一致した場合には、前記情報取得条件を登録した移動機と当該情報取得条件とマッチングする情報提供条件を登録した移動機とのセッションを確立する手段とを備えたことを特徴とする移動体通信システム。
【請求項７】
前記マッチング処理手段により前記情報取得条件と情報提供条件が一致した場合には、該当する情報取得側と情報提供側の移動機にセッション確立の許諾を確認し、セッション確立を許諾した場合には、該当する移動機間のセッションを確立することを特徴とする請求項６に記載の移動体通信システム。
【請求項８】
取得を希望する情報の内容を示す情報取得条件を登録する移動機と、予め提供する情報の内容を示す情報提供条件が登録されたコンテンツサーバと、前記移動機から情報取得条件が登録された際に当該情報取得条件と前記コンテンツサーバに登録された情報提供条件とが一致するか否かのマッチング処理を行う手段と、前記マッチング処理により前記情報取得条件と情報提供条件が一致した場合には、前記情報取得条件を登録した移動機と前記コンテンツサーバ間のセッションを確立する手段とを備えたことを特徴とする移動体通信システム。
【請求項９】
前記マッチング処理により前記情報取得条件と情報提供条件が一致した場合には、該当する移動機にセッション確立の許諾を確認し、セッション確立を許諾した場合には、前記コンテンツサーバから該当する移動機に情報を配信することを特徴とする請求項８に記載の移動体通信システム。
【請求項１０】
前記移動機は、予めグループとして登録されていることを特徴とする請求項８又は９に記載の移動体通信システム。
【請求項１１】
前記第１の登録手段は情報提供条件としてデータの種類を含むバックアップ対象情報を登録し、前記第２の登録手段は情報取得条件として情報更新日、データサイズを含む情報取得条件を登録し、前記セッション確立手段は前記情報取得条件と情報提供条件とのマッチング処理により両者の条件が一致した場合には、前記第１の登録手段と第２の登録手段とのセッション確立を行い、前記第１の登録手段から第２の登録手段に対してデータバックアップを行うことを特徴とする請求項１に記載の移動体通信システム。
【請求項１２】
第１の登録手段が情報提供条件を登録するステップと、第２の登録手段が情報取得条件を登録するステップと、マッチング処理手段が前記情報取得条件と予め登録された情報提供条件とが一致するか否かのマッチング処理を行うステップと、前記マッチング処理により前記情報取得条件と情報提供条件が一致した場合には、セッション確立手段が前記情報提供条件を登録した第１の登録手段と当該情報提供条件とマッチングする情報取得条件を登録した第２の登録手段とのセッションを確立するステップとを含むことを特徴とする情報交換方法。
【請求項１３】
予め登録されたグループに属する移動機から提供を希望する情報の内容を示す情報提供条件を登録するステップと、前記グループに属する移動機から取得を希望する情報の内容を示す情報取得条件を登録するステップと、マッチング処理手段が当該移動機から情報取得条件が登録された際に当該情報取得条件と予め同一グループ内の移動機から登録された情報提供条件とが一致するか否かのマッチング処理を行うステップと、前記マッチング処理により前記情報取得条件と情報提供条件が一致した場合には、セッション確立手段が前記情報取得条件を登録した移動機と当該情報取得条件とマッチングする情報提供条件を登録した移動機とのセッションを確立するステップとを含むことを特徴とする情報交換方法。
【請求項１４】
コンテンツサーバが提供する情報の内容を示す情報提供条件を登録するステップと、移動機から取得を希望する情報の内容を示す情報取得条件を登録するステップと、マッチング処理手段が前記移動機から情報取得条件が登録された際に当該情報取得条件と前記コンテンツサーバに登録された情報提供条件とが一致するか否かのマッチング処理を行うステップと、前記マッチング処理により前記情報取得条件と情報提供条件が一致した場合には、セッション確立手段が前記情報取得条件を登録した移動機と前記コンテンツサーバ間のセッションを確立するステップとを含むことを特徴とする情報交換方法。
【発明の詳細な説明】
【技術分野】
【０００１】
本発明は、移動体通信システム及び情報交換方法に関し、特に、情報を取得したい側と情報を提供する側との仲介を行う技術に関するものである。
【背景技術】
【０００２】
従来、通信システムにおいて情報を取得する場合には、情報を欲している者が情報を持っているか分からない相手に対してコンタクトをとり、持っていなかったら別の相手にコンタクトを取るという手法を繰り返して情報取得を行っている。この方法では相手のプレゼンス状態、存在場所、持っている情報とは無関係にコンタクトを取らなくてはならないため、結果的に時間の浪費を招いてしまう。
【０００３】
一方、近年、移動体通信網のＩＰ化が検討されており、３ＧＰＰ移動体通信システムにＩＥＴＦのプロトコルが取り入れられるようになってきている。その例として、IP Multimedia Subsystem（ＩＭＳ）に実装されるSession Initiation Protocol（ＳＩＰ）が挙げられる。ＩＭＳにより提供されるサービスにはＶｏＩＰやストリーミングに加え、インスタントメッセージやプレゼンス情報提供等の付加サービスがある。
【０００４】
また、特開２００３−２２２２３号公報には、発呼者側と被呼者側エンドポイント間でＳＩＰセッションを確立する方法が記載されている（特許文献１）。
【特許文献１】特開２００３−２２２２３号公報
【発明の開示】
【発明が解決しようとする課題】
【０００５】
上述のようにＳＩＰ(Session Initiation Protocol)の出現によりプレゼンス提供やインスタントメッセージ送信等の付加サービスが可能となっており、これら付加サービスを利用して情報収集を行う場合には、コンタクトする相手を予め選別することが可能となり、効率的な情報収集を実現できる。しかしながら、プレゼンス状態だけでは選別する情報が限られていることや、インスタントメッセージではユーザ主導で何らかのアクションを起こさなくてはならないため、根本的な情報取得方法・提供方法の改善には至っていない。
【０００６】
また、特許文献１のものは、ボイスクッキー情報を用いて経路を確定するものであり、情報取得方法に関しては言及されていない。
【０００７】
本発明の目的は、情報取得条件を入力するだけで効率的に所望の情報を得ることが可能な移動体通信システム及び情報交換方法を提供することにある。
【課題を解決するための手段】
【０００８】
本発明は、移動機等から予め提供を希望する情報の内容を示す情報提供条件を登録し、移動機等から取得を希望する情報の内容を示す情報取得条件を登録する。そして、当該移動機から情報取得条件が登録された際に当該情報取得条件と予め同一グループ内の移動機から登録された情報提供条件とが一致するか否かのマッチング処理を行い、マッチング処理により情報取得条件と情報提供条件が一致した場合には、情報取得条件を登録した移動機等と当該情報取得条件とマッチングする情報提供条件を登録した移動機等とのセッションを確立する。
【０００９】
これら移動機等は予めグループとして登録しておき、グループ内でマッチング処理を行い、セッションを確立するのが良い。
【００１０】
また、本発明は、移動機等のユーザ対ユーザでの情報の交換だけでなく、移動機等のユーザとコンテンツサーバ間で情報交換を行っても良い。この場合には、コンテンツサーバが定期的に提供する情報の内容を示す情報提供条件を登録し、ユーザからの情報取得条件とコンテンツサーバの情報提供条件とのマッチング処理を行う。
【発明の効果】
【００１１】
本発明によれば、インフラ側主導で情報提供者(情報提供をしたい者)と情報取得者(情報を欲しがっている者)とを結び付け、セッション確立を行うため、情報取得者が情報提供者を発見するまでの時間浪費を防ぐことができ、効率的に情報取得を行うことができる。更に、ＳＩＰプロトコルを使用することで、移動体通信だけではなく、他のＩＰネットワークとの融合を容易に行うことできる。
【発明を実施するための最良の形態】
【００１２】
次に、発明を実施するための最良の形態について図面を参照して詳細に説明する。
【００１３】
（第１の実施形態）
図１は本発明に係る移動体通信システムの第１の実施形態の構成を示すブロック図である。図中１０１、１０２は携帯電話機等の移動機（ＵＥ）である。２０１は無線基地局（ＮｏｄｅＢ）、３０１は基地局制御局（ＲＮＣ）である。無線基地局２０１と基地局制御局３０１はＵＴＲＡＮを構成する。
【００１４】
４０１はサービスパケットノード（ＳＧＳＮ）、５０１は網間ゲートウェイノード（ＧＧＳＮ）である。サービスパケットノード（ＳＧＳＮ）４０１、網間ゲートウェイノード（ＧＧＳＮ）５０１はＣＮ（ＰＳ  Ｄｏｍａｉｎ）を構成する。
【００１５】
６０１はプロキシサーバ、７０１はレジストラサーバ、８０１はＡＰＬサーバ、９０１はリダイレクトサーバである。これらプロキシサーバ６０１、レジストラサーバ７０１、ＡＰＬサーバ８０１、リダイレクトサーバ９０１はＩＭＳを構成する。なお、図１に実線で示す矢印はＳＩＰプロトコル、破線で示す矢印はその他のプロトコルである。
【００１６】
移動機（ＵＥ）１０１及び１０２は、情報提供条件(提供話題・提供メディアタイプ・自存在場所・提供可能時間・自プレゼンス等)及び情報取得条件(希望話題・希望メディアタイプ・相手の希望場所・希望時間等)をＡＰＬサーバ８０１に登録し、ＡＰＬサーバ８０１からの要求に従いセッションの受諾／拒否を行う機能を持つ。
【００１７】
無線基地局（Ｎｏｄｅ）２０１、基地局制御局（ＲＮＣ）３０１、サービスパケットノード（ＳＧＳＮ）４０１及び網間ゲートウェイノード（ＧＧＳＮ）５０１は、移動機（ＵＥ）１０１や１０２とプロキシサーバ６０１間のＳＩＰメッセージをやり取りするための透過的なルーティング機能を持つ。
【００１８】
プロキシサーバ６０１は、ユーザの登録情報やセッション確立情報を他のサーバへ転送する機能を持つ。
【００１９】
レジストラサーバ７０１は、移動機１０１、１０２から送られてきた登録情報を終端し、ＡＰＬサーバ８０１に対してマッチング条件情報として登録する機能を持つ。
【００２０】
ＡＰＬサーバ８０１は、レジストラサーバ７０１から登録されたマッチング条件情報を格納し、情報取得者と情報提供者を結び付ける。その後、移動機（ＵＥ）１０１、１０２に対してセッション確立の確認要求を送信し、両方の移動機から確認された後にセッションの確立を行う機能を持つ。
【００２１】
リダイレクトサーバ９０１は、相手ユーザに到達するための代賛ロケーションを提供する機能を持つ。
【００２２】
本実施形態では、移動体通信システムのＩＭＳ内のサーバ群においてユーザグループ内の情報取得条件と情報提供条件のマッチングを行い、両者のセッション確立を行う。移動機（ＵＥ）１０１と１０２は同一ユーザグループ内のメンバーとする。例えば、移動機（ＵＥ）１０１側は情報を欲している者とする。移動機（ＵＥ）１０１が情報取得を行いたい場合には、ＡＰＬサーバ８０１に対して情報取得条件を登録する。
【００２３】
一方、移動機（ＵＥ）１０２側は情報提供をしたい者とするとし、ＡＰＬサーバ８０１に対して情報提供条件を登録する。ＡＰＬサーバ８０１は情報提供条件・情報取得条件のマッチングを行い、両者のセッションを確立する。
【００２４】
同一ユーザグループとしては、例えば、企業や役所等を１つのグループとすることが挙げられ、予めそのグループ内の複数の移動機を１つのユーザグループとしてＡＰＬサーバ８０１に登録しておく。登録する情報としては移動機の電話番号、ＩＤ等移動機と関連付けられる情報であれば何でも良い。このグループに属する移動機のうち情報提供をする者が予め情報提供情報を登録し、そのグループに属する移動機のうち情報を取得したい者から登録された情報取得条件との間でマッチング処理を行う。
【００２５】
ＡＰＬサーバ８０１に登録する情報取得条件には、希望話題・希望メディアタイプ・相手の希望場所・希望時間等があり、情報取得条件には、提供話題・提供メディアタイプ・自存在場所・提供可能時間・自プレゼンス等がある。そして、上述のようにこれら情報取得条件と情報取得条件とのマッチングを行い、情報取得者と情報提供者を結び付け、インフラ側主導でセッションの確立を行うのである。
【００２６】
情報提供者は予めＡＰＬサーバ８０１に情報提供条件(提供話題・提供メディアタイプ・自存在場所・提供可能時間・自プレゼンス等)を登録しておく。一方、情報取得者はＡＰＬサーバ８０１に情報取得条件(希望話題・希望メディアタイプ・相手の希望場所・希望時間等)を登録する。ＡＰＬサーバ８０１は登録された情報提供条件と情報取得条件のマッチング処理を行い、マッチングしたところで両者へセッション確立の確認要求を送信し、両者から受諾された場合には、セッションの確立を実行する。
【００２７】
本実施形態では、このようにして移動体通信システムにおいてインフラ側主導で情報提供者(情報提供をしたい者)と情報取得者(情報を欲しがっている者)とを結び付け、セッション確立を行うものである。
【００２８】
なお、情報提供条件として、提供話題・提供メディアタイプ・自存在場所・提供可能時間・自プレゼンス等を挙げ、情報取得条件として希望話題・希望メディアタイプ・相手の希望場所・希望時間等を挙げているが、その具体例については詳しく後述する。
【００２９】
次に、図２から図６を参照して本実施形態の条件登録方法及び条件マッチングによるセッション確立までの動作を説明する。
【００３０】
図２は情報提供条件や情報取得条件の条件登録方法を説明する図である。図２において、まず、情報提供者（例えば、移動機（ＵＥ）１０１とする）は提供条件をＳＩＰリクエストメッセージに乗せて送信する。ＳＩＰメソッドフォーマットは状態行１１、ヘッダ１２、空白行１３、メッセージボディ１４から構成されている。
【００３１】
メソッドフォーマットのメッセージボディは、プロキシサーバ６０１でメッセージボディを検証しないため自由な形式フォーマットで記述することが可能であり、独自フォーマットで条件情報(提供話題・提供メディアタイプ・自存在場所・提供可能時間・自プレゼンス等)を記述することができる。そのため、独自フォーマットでＡＰＬサーバ８０１に登録することが可能となる。情報提供者（移動機（ＵＥ）１０１）から送信された提供条件は基地局２０１、基地局制御局３０１、プロシキサーバ６０１、レジストラサーバ７０１等を介してＡＰＬサーバ８０１に登録される。情報取得者からの条件登録の場合も同様である。
【００３２】
図３は情報取得条件や情報提供条件の一例を示す図である。ＡＰＬサーバ８０１は条件情報として各移動機から送られてきた情報提供条件と情報取得条件を保持し、条件マッチング情報としてデータベースに格納する。条件情報は所属グループ内（#Ａまたは#Ｂ）で保持され、グループ内でマッチング処理を行う。
【００３３】
図３では情報取得条件として取得時間（この時間に情報取得を希望するという取得側の時間）、希望相手場所、取得情報（取得話題に関する情報で、この例では会議室の予約に関する情報）、方法（通信方法）等が挙げられている。また、それに対する情報提供条件として、可能時間（この時間に情報を提供できるという提供側の時間）、自場所、提供情報（提供話題に関する情報で、この例では会議室の空き情報）、方法（通信方法）等が挙げられている。
【００３４】
この例では、会議室の予約状況を取得条件とし、それに対し会議室の空き状況を情報提供条件として挙げている。これは、例えば、会社や役所等において会議室を予約したい者が移動機から情報取得条件を登録し、それに対し会議室を管理する者等が会議室の空き状況等を情報提供条件として登録している例である。
【００３５】
なお、図３では、条件例として時間、場所、対象情報、方法を挙げたが、本発明はこの限りではなく、様々な形態があることは言うまでもない。また、図３に示すように同一カテゴリに対して方法の条件を複数登録(例：電話、メール等)することも可能である。一方、登録時に方法の条件を指定しなかった場合には、全ての方法（電話、メール、チャット等）が対象となる。
【００３６】
図４はＡＰＬサーバ８０１のマッチング処理を示すフローチャートである。ＡＰＬサーバ８０１は、情報取得ユーザが取得条件を登録したことを契機としてマッチング処理を開始する。移動機から情報取得条件が登録された場合には、その移動機が予めグループとして登録されているかを確認する。例えば、移動機（ＵＥ）１０２から図３に示す情報取得条件が登録されたとする。グループとして登録された移動機である場合には、まず、ＡＰＬサーバ８０１は、マッチング開始タイマを発行する（ステップ１０１）。
【００３７】
次に、発行したタイマがタイムアウトして指定時間が経過すると、情報提供ユーザの有無をチェックし（ステップ１０２）、情報提供ユーザが存在した場合には、マッチング処理を開始する（ステップ１０３）。このマッチング処理は予め登録されている全ての情報提供条件に対してマッチング処理を行う。この場合のマッチング手法としては、例えば、情報取得条件と情報提供条件との間で一致する項目の数をカウントする。例えば、図３を例にとると、情報取得条件の取得時間、取得情報、方法と、情報提供情報の可能時間、提供情報、方法とを比較し、一致する項目をカウントする。
【００３８】
次いで、マッチング処理結果を判定し（ステップ１０４）、このマッチング処理結果より”マッチング成立”と判断した場合には、情報取得条件を登録した移動機とマッチング成立の情報提供条件を登録した移動機でセッション招待の開始を行う。”マッチング不成立”と判断した場合にはステップ１０１に戻る。この場合、タイマ値を登録ユーザ数の増減及びトラフィック情報によって変化させても良い（ステップ１０５）。
【００３９】
図５は図４のマッチング処理結果に対して成立・不成立の判定方法を示すフローチャートである。ユーザは取得条件を登録する際に各カテゴリに優先度を付与し、重み付けを行う。ＡＰＬサーバ８０１はユーザによって重み付けされた情報から成立基準を生成し、マッチング処理結果との比較により成立判定を行う（ステップ２０１）。
【００４０】
具体的には、図５に示す条件基準として、上述のような情報取得条件の項目と情報提供条件の項目が幾つ一致すれば成立するという条件基準を作成しておく。例えば、図３の例では、情報取得条件の取得情報（取得話題）を含む２つの項目が、情報提供条件の提供情報（提供話題）を含む２つの項目と一致すればマッチング成立という成立基準を作成しておく。その成立基準に基づいてステップ１０３のマッチング処理結果を判定し、マッチング成立かマッチング不成立かを判定する。
【００４１】
図６はＡＰＬサーバ８０１でマッチングが成立した時のセッション確立要求の流れを示す。移動機（ＵＥ）１０１及び移動機（ＵＥ）１０２が登録した情報取得条件と情報提供条件がマッチングし、セッション招待を開始すると、ＡＰＬサーバ８０１はＩＮＶＩＴＥリクエストを移動機（ＵＥ）１０１、１０２両者に対して開始する。
【００４２】
本リクエストにはセッション記述及びマッチング状況の情報が含まれており、該当する移動機（ＵＥ）１０１及び移動機（ＵＥ）１０２に対してセッションへの参加を要求する。移動機（ＵＥ）１０１及び移動機（ＵＥ）１０２はマッチング状況を確認し、セッション確立を受諾すれば両者のセッションを確立する。このようにして情報取得側の移動機は提供された情報の中から希望する情報を取得することが可能となる。
【００４３】
（第２の実施形態）
本発明による情報提供・情報取得方法は、ユーザ対ユーザでの情報のやり取りだけではなく、ユーザ対サーバの情報のやり取りにも利用できる。
【００４４】
図７はその場合の実施形態を示す。図７では図１と同一部分には同一符号を付している。ＡＰＬサーバ８０１はコンテンツサーバ１００１からコンテンツ情報を定期的に収集し、もしくはコンテンツサーバ１００１が定期的に情報提供条件を登録する。ＡＰＬサーバ８０１は第１の実施形態と同様に移動機（ＵＥ）１０１から登録された情報取得条件とコンテンツサーバ１００１から登録された情報提供条件のマッチング処理を行う。
【００４５】
条件が一致すると、ＡＰＬサーバ８０１は移動機（ＵＥ）１０１とコンテンツサーバ１００１との間のセッション確立を行う。移動機（ＵＥ）１０１がセッション確立を受諾した場合には、コンテンツサーバ１００１から移動機（ＵＥ）１０１に対して情報を配信する。なお、本実施形態においても、移動機は予めグループとして登録しておき、登録されたグループの移動機に対してのみ情報配信サービスを行う。なお、図７に実線で示す矢印はＳＩＰプロトコル、破線で示す矢印はその他のプロトコルである。
【００４６】
（第３の実施形態）
また、本発明による情報提供・取得方法はサーバ対サーバでの情報のバックアップ(複製)にも利用できる。図８はその場合の実施形態を示す。図８では図１と同一部分には同一符号を付している。なお、図８に実線で示す矢印はＳＩＰプロトコル、破線で示す矢印はその他のプロトコルである。
【００４７】
サーバ２００１にバックアップ対象の情報が発生した場合には、ＡＰＬサーバ８０１に対して情報提供条件（データの種類等のバックアップ対象情報）を登録する。一方、サーバ２００２はＡＰＬサーバ８０１に対して情報取得条件(データの種類、情報更新日、情報データサイズ、重要度等)を登録しておく。ＡＰＬサーバ８０１は両者の条件が一致した場合には、両サーバ間のセッション確立を行い、サーバ２００１からサーバ２００２に対してデータバックアップを行う。
【００４８】
なお、本発明の他の実施形態として、その基本的構造は上記の通りであるが、移動体通信ネットワークに特定せず、全てのＩＰネットワークへ適応しても良い。また、以上の実施形態では、同一グループ内で情報取得・情報提供を行うと説明したが、本発明はグループを跨いだ情報交換でも良い。また、グループなどは設けず、不特定多数の移動機から情報提供条件を登録し、不特定多数の移動機から情報取得条件を登録してマッチング処理を行っても良い。
【図面の簡単な説明】
【００４９】
【図１】本発明に係る移動体通信システムの第１の実施形態を示すブロック図である。
【図２】情報提供条件や情報取得条件の条件登録方法を説明する図である。
【図３】情報取得条件や情報提供条件の一例を示す図である。
【図４】ＡＰＬサーバのマッチング処理を示すフローチャートである。
【図５】マッチング処理結果による成立・不成立の判定方法を示すフローチャートである。
【図６】マッチングが成立した時のセッション確立要求の流れを示すタイミングチャートである。
【図７】本発明の第２の実施形態を示すブロック図である。
【図８】本発明の第３の実施形態を示すブロック図である。
【符号の説明】
【００５０】
１０１  移動機（ＵＥ）
１０２  移動機（ＵＥ）
２０１  無線基地局
３０１  基地局制御局
４０１  サービスパケットノード（ＳＧＳＮ）
５０１  網間ゲートウェイノード（ＧＧＳＮ）
６０１  プロシキサーバ
７０１  レジストラサーバ
８０１  ＡＰＬサーバ
９０１  リダイレクトサーバ
１００１  コンテンツサーバ
２００１  サーバ
２００２  サーバ
【図１】
2006262300.tif 000003
【図２】
2006262300.tif 000004
【図３】
2006262300.tif 000005
【図４】
2006262300.tif 000006
【図５】
2006262300.tif 000007
【図６】
2006262300.tif 000008
【図７】
2006262300.tif 000009
【図８】
2006262300.tif 000010